(57)【要約】【課題】米種に応じた炊飯メニューを選択可能な炊飯器において、より少ない選択手段および表示手段で操作表示部を小さくしたり、炊飯器全体の大きさを大きくすることなく、複数の米種と米種に応じたメニューを選択できる炊飯器を提供する。【解決手段】炊飯物を入れる鍋１を加熱手段２により加熱し、コース選択手段８により複数の米種と米種に応じた複数の炊飯メニューの中から一つの組み合わせを選択し、コース選択手段８により選択された米種およびメニューをそれぞれ米種表示手段４およびメニュー表示手段５に表示し、コース選択手段８により選択可能な複数の米種とメニューに応じた複数のシーケンスをシーケンス記憶手段１２に記憶し、コース選択手段８により選択された米種とメニューに基づきシーケンス記憶手段１２から所定のシーケンスを選択し選択されたシーケンスにより加熱手段２を制御手段１１により制御するよう構成する。【選択図】図１
2007054475.tif 000002
【特許請求の範囲】
【請求項１】
炊飯物を入れる鍋と、この鍋を加熱する加熱手段と、複数の米種と米種に応じた複数の炊飯メニューの中から一つの組み合わせを選択するコース選択手段と、前記コース選択手段により選択された米種およびメニューをそれぞれ表示する米種表示手段およびメニュー表示手段と、前記コース選択手段により選択可能な複数の米種とメニューに応じた複数のシーケンスを記憶するシーケンス記憶手段と、前記コース選択手段により選択された米種とメニューに基づき前記シーケンス記憶手段から所定のシーケンスを選択し選択されたシーケンスにより前記加熱手段を制御する制御手段とを備えた炊飯器。
【請求項２】
コース選択手段は、米種に応じた複数の炊飯メニューを順に選択した後、米種の選択を変更するようにした請求項１記載の炊飯器。
【請求項３】
コース選択手段は、第１の所定時間以上、第２の所定時間未満の間操作された場合には、炊飯メニューおよび米種を順に選択し、第２の所定時間以上の間操作された場合には、米種を順に選択するようにした請求項１または２記載の炊飯器。
【請求項４】
制御手段は、第１の所定時間以上、第２の所定時間未満の間コース選択手段が操作された場合には、炊飯メニューのみを順に変更するようにした請求項３記載の炊飯器。
【請求項５】
コース選択手段によって選択される米種に長粒米が含まれる請求項１〜４のいずれか１項に記載の炊飯器。
【請求項６】
コース選択手段によって選択されるメニューは、選択された米種に応じて異なるものが含まれる請求項１〜５のいずれか１項に記載の炊飯器。
【発明の詳細な説明】
【技術分野】
【０００１】
本発明は、米種に応じた炊飯メニューを選択可能な炊飯器に関するものである。
【背景技術】
【０００２】
従来、この種の炊飯器は図９に示すように構成していた（例えば、特許文献１参照）。以下、その構成について説明する。
【０００３】
図９に示すように、米種選択手段１５は、米種を選択するもので、「精白米」、「無洗米」、「玄米」などを選択し、メニュー選択手段１６はメニューを選択するもので、「ご飯」、「おかゆ」、「炊き込み」などを選択するようにしている。炊飯開始手段１７は選択された米種およびメニューで炊飯を開始させるものであり、取消手段１８は炊飯や保温を終了させるもので、これらはキースイッチで構成していた。
【特許文献１】特許第３６６３５４３号公報
【発明の開示】
【発明が解決しようとする課題】
【０００４】
しかしながら、このような従来の構成では、選択手段を複数用いるか、組み合わせ分の表示手段を用いる必要があり、操作表示部を小さくするか、炊飯器全体の大きさを大きくする必要があるという問題を有していた。
【０００５】
本発明は上記従来の課題を解決するもので、より少ない選択手段および表示手段で操作表示部を小さくしたり、炊飯器全体の大きさを大きくすることなく、複数の米種と米種に応じたメニューを選択できる炊飯器を提供することを目的としている。
【課題を解決するための手段】
【０００６】
本発明は上記目的を達成するために、炊飯物を入れる鍋を加熱手段により加熱し、コース選択手段により複数の米種と米種に応じた複数の炊飯メニューの中から一つの組み合わせを選択し、コース選択手段により選択された米種およびメニューをそれぞれ米種表示手段およびメニュー表示手段に表示し、コース選択手段により選択可能な複数の米種とメニューに応じた複数のシーケンスをシーケンス記憶手段に記憶し、コース選択手段により選択された米種とメニューに基づきシーケンス記憶手段から所定のシーケンスを選択し選択されたシーケンスにより加熱手段を制御手段により制御するよう構成したものである。
【０００７】
これにより、一つのコース選択手段で複数の米種と米種に応じたメニューから一つの組み合わせを選択でき、米種表示手段とメニュー表示手段を別々にすることで、より少ない表示手段で表示することができる。
【発明の効果】
【０００８】
本発明の炊飯器は、より少ないコース選択手段および表示手段で複数の米種と米種に応じたメニューを容易に選択することができる。
【発明を実施するための最良の形態】
【０００９】
第１の発明は、炊飯物を入れる鍋と、この鍋を加熱する加熱手段と、複数の米種と米種に応じた複数の炊飯メニューの中から一つの組み合わせを選択するコース選択手段と、前記コース選択手段により選択された米種およびメニューをそれぞれ表示する米種表示手段およびメニュー表示手段と、前記コース選択手段により選択可能な複数の米種とメニューに応じた複数のシーケンスを記憶するシーケンス記憶手段と、前記コース選択手段により選択された米種とメニューに基づき前記シーケンス記憶手段から所定のシーケンスを選択し選択されたシーケンスにより前記加熱手段を制御する制御手段とを備えたものであり、より少ないコース選択手段と表示手段で米種と米種に応じたメニューを選択することができる。
【００１０】
第２の発明は、上記第１の発明において、コース選択手段は、米種に応じた複数の炊飯メニューを順に選択した後、米種の選択を変更するようにしたものであり、米種の変更が少ない場合でのメニュー選択を容易することができる。
【００１１】
第３の発明は、上記第１または第２の発明において、コース選択手段は、第１の所定時間以上、第２の所定時間未満の間操作された場合には、炊飯メニューおよび米種を順に選択し、第２の所定時間以上の間操作された場合には、米種を順に選択するようにしたものであり、米種の変更をする場合に、一度の操作で変更することができるので、より容易に米種とメニューを選択することができる。
【００１２】
第４の発明は、上記第３の発明において、制御手段は、第１の所定時間以上、第２の所定時間未満の間コース選択手段が操作された場合には、炊飯メニューのみを順に変更するようにしたものであり、使用者が意図せず米種を変更しないですむので、より確実に米種とメニューを選択することができる。
【００１３】
第５の発明は、上記第１〜４のいずれか１つの発明において、コース選択手段によって選択される米種に長粒米が含まれるものであり、国内産、国外産を問わず特質の異なる米種に対してもそれに応じたメニューを容易に選択することができる。
【００１４】
第６の発明は、上記第１〜５のいずれか１つの発明において、コース選択手段によって選択されるメニューは、選択された米種に応じて異なるものが含まれるものであり、米種に応じて調理時間に応じた異なる炊き方を容易に選択することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における炊飯器のブロック図、図２は、同炊飯器の操作部および表示手段の正面図である。
【００１７】
図１に示すように、鍋１は炊飯物を入れて加熱手段２により加熱する。表示手段３は、米種を表示する米種表示手段４と、メニューを表示するメニュー表示手段５と、その他時刻等を表示するその他表示手段６とを有し、ＬＣＤやＬＥＤで構成し、後述するコース選択手段８により選択された米種を米種表示手段４に表示するとともに、コース選択手段８により選択されたメニューをメニュー表示手段５に表示するようにしている。ここで、米種表示手段４は、図２に示すように、「短粒米」と「長粒米」を表示し、メニュー表示手段５は、「標準」、「早炊き」および「おかゆ」を表示するようにしている。
【００１８】
操作部７は、米種およびメニューを選択するコース選択手段８と、選択された米種およびメニューで炊飯を開始させる炊飯開始手段９と、炊飯や保温を終了させる取消手段１０とを有し、図２に示すようにキースイッチで構成している。ここで、コース選択手段８は複数の米種と米種に応じた複数の炊飯メニューの中から一つの組み合わせを選択するようにしている。
【００１９】
シーケンス記憶手段１２は、米種とメニューに応じたコースごとのシーケンスを記憶している。制御手段１１は、コース選択手段８によって選択された米種およびメニューに応じたシーケンスをシーケンス記憶手段１２から選択し、選択されたシーケンスにより加熱手段２を制御するようにし、マイクロコンピュータおよび周辺回路で構成している。
【００２０】
上記構成において図３を参照しながら動作を説明する。図３は本実施の形態におけるコース選択手段８を操作するごとの表示手段３の状態をその他表示手段６を省略して示したものである。
【００２１】
まず、最初は、図３（ａ）に示すように、「短粒米」「早炊き」が選択されている状態とする。その後、コース選択手段８を操作するたびに、図３（ｂ）の「短粒米」「おかゆ」、図３（ｃ）の「長粒米」「標準」、図３（ｄ）の「長粒米」「早炊き」、図３（ｅ）の「長粒米」「おかゆ」、図３（ｆ）の「短粒米」「標準」、図３（ａ）の「短粒米」「早炊き」の順に選択され、図３では省略しているが、炊飯開始手段９を操作したときに表示されていた米種およびメニューに応じたシーケンスで炊飯を開始する。
【００２２】
このように本実施の形態では、米種とメニューの組み合わせた数の６種類より米種表示手段４およびメニュー表示手段５を構成する表示部の数が５種類と少なく、選択手段も一つのコース選択手段８で実現することができる。このため、限られた大きさの炊飯器の中で表示部や操作部を小さくすることなく、多数の組み合わせのメニューを選択することができる。
【００２３】
以上のように、本実施の形態においては、コース選択手段８により複数の米種と米種に応じた複数の炊飯メニューの中から一つの組み合わせを選択し、コース選択手段８により選択された米種およびメニューをそれぞれ米種表示手段４およびメニュー表示手段５に表示し、コース選択手段８により選択可能な複数の米種とメニューに応じた複数のシーケンスをシーケンス記憶手段１２に記憶し、コース選択手段８により選択された米種とメニューに基づきシーケンス記憶手段１２から所定のシーケンスを選択し選択されたシーケンスにより加熱手段２を制御する制御手段１１を備えたので、より少ないコース選択手段８と米種表示手段４およびメニュー表示手段５で米種と米種に応じたメニューを選択することができる。
【００２４】
（実施の形態２）
図１に示すコース選択手段８は、米種に応じた複数の炊飯メニューを順に選択した後、米種の選択を変更するようにしている。他の構成は上記実施の形態１と同じである。
【００２５】
上記構成において図４を参照しながら動作を説明する。図４は本実施の形態におけるコース選択手段８を操作するごとの表示手段３の状態をその他表示手段６を省略して示したものである。
【００２６】
まず、最初は、図４（ａ）に示すように、「短粒米」「早炊き」が選択されている状態とする。その後、コース選択手段８を操作するたびに、図４（ｂ）の「短粒米」「おかゆ」、図４（ｃ）の「短粒米」「標準」、図４（ｄ）の「長粒米」「早炊き」、図４（ｅ）の「長粒米」「おかゆ」、図４（ｆ）の「長粒米」「標準」、図４（ａ）の「短粒米」「早炊き」の順に選択され、炊飯開始手段９を操作したときに表示された米種およびメニューに応じたシーケンスで炊飯を開始する。
【００２７】
このように本実施の形態では、米種とメニューの組み合わせた数の６種類より米種表示手段４およびメニュー表示手段５を構成する表示部の数が５種類と少なく、選択手段も一つのコース選択手段８で実現することができる。このため、限られた大きさの炊飯器の中で表示部や操作部を小さくすることなく、多数の組み合わせのメニューを選択することができる。また、「短粒米」で選択可能なメニューを一通り選択した後に、「長粒米」の選択になるため、使用者が同一の米種で炊飯する場合に、操作する回数を軽減することができ、容易に米種とメニューを選択することができる。
【００２８】
以上のように、本実施の形態においては、コース選択手段８は、米種に応じた複数の炊飯メニューを順に選択した後、米種の選択を変更するようにしたので、米種の変更が少ない場合でのメニュー選択を容易することができる。
【００２９】
なお、本実施の形態では、コース選択手段８を操作する前の状態に応じてメニューを変更するようにしているが、メニューの選択順序をメニューに関係なく、「標準」「早炊き」「おかゆ」の順のように一定としてもよいのは明らかである。
【００３０】
（実施の形態３）
図１に示すコース選択手段８は、第１の所定時間（例えば、０．１秒）以上、第２の所定時間（例えば、１秒）未満の間操作された場合には、炊飯メニューおよび米種を順に選択し、第２の所定時間以上の間操作された場合には、米種を順に選択するようにしている。他の構成は上記実施の形態１または２と同じである。
【００３１】
上記構成において図５を参照しながら動作を説明する。図５は本実施の形態におけるコース選択手段８を操作するごとの表示手段３の状態をその他表示手段６を省略して示したものである。
【００３２】
まず、最初は、図５（ａ）に示すように、「短粒米」「早炊き」が選択されている状態とする。その後、コース選択手段８を操作するたびに、図５（ｂ）の「短粒米」「おかゆ」、図５（ｃ）の「短粒米」「標準」、図５（ｄ）の「長粒米」「早炊き」、図５（ｅ）の「長粒米」「おかゆ」、図５（ｆ）の「長粒米」「標準」、図５（ａ）の「短粒米」「早炊き」の順に選択され、炊飯開始手段９を操作したときに表示された米種およびメニューに応じたシーケンスで炊飯を開始する。
【００３３】
また、各状態で、コース選択手段８を第２の所定時間（１秒）以上操作した場合には、点線で示す順序で選択する。例えば図５（ａ）の「短粒米」「早炊き」のときにコース選択手段８を１秒以上操作した場合には、図５（ｄ）の「長粒米」「早炊き」となり、図５（ｄ）の「長粒米」「早炊き」のときにコース選択手段８を０．１秒以上、１秒未満の間操作すると、図５（ｅ）の「長粒米」「おかゆ」となり、コース選択手段８を１秒以上操作した場合には、図５（ａ）の「短粒米」「早炊き」となる。
【００３４】
このように本実施の形態では、米種とメニューの組み合わせた数の６種類より米種表示手段４およびメニュー表示手段５を構成する表示部の数が５種類と少なく、選択手段も一つのコース選択手段８で実現することができる。このため、限られた大きさの炊飯器の中で表示部や操作部を小さくすることなく、多数の組み合わせのメニューを選択することができる。また、コース選択手段８を第２の所定の時間（１秒）以上操作した場合には、メニューでなく、米種を変更するようにしているため、米種を変更する場合でも、操作する回数を軽減することができ、容易に米種とメニューを選択することができる。
【００３５】
以上のように、本実施の形態においては、コース選択手段８は、第１の所定時間（０．１秒）以上、第２の所定時間（１秒）未満の間操作された場合には、炊飯メニューおよび米種を順に選択し、第２の所定時間以上の間操作された場合には、米種を順に選択するようにしているので、米種の変更をする場合に、一度の操作で変更することができるので、より容易に米種とメニューを選択することができる。
【００３６】
なお、本実施の形態では、第１の所定の時間を０．１秒とし、第２の所定の時間を１秒としたが、この時間に限定されることはなく、第２の所定の時間が第１の所定の時間より長ければよいのは、明らかである。
【００３７】
（実施の形態４）
図１に示す制御手段１１は、第１の所定時間（例えば、０．１秒）以上、第２の所定時間（例えば、１秒）未満の間コース選択手段８が操作された場合には、炊飯メニューのみを順に変更するようにしている。他の構成は上記実施の形態１〜３と同じである。
【００３８】
上記構成において図６を参照しながら動作を説明する。図６は本実施の形態におけるコース選択手段８を操作するごとの表示手段３の状態をその他表示手段６を省略して示したものである。
【００３９】
まず、最初は、図６（ａ）に示すように、「短粒米」「早炊き」が選択されている状態とする。その後、コース選択手段８を０．１秒以上、１秒未満の間操作するたびに実線の矢印で示す順に、図６（ｂ）の「短粒米」「おかゆ」、図６（ｃ）の「短粒米」「標準」、図６（ａ）の「短粒米」「早炊き」の順に選択され、炊飯開始手段９を操作したときに表示された米種およびメニューに応じたシーケンスで炊飯を開始する。
【００４０】
また、各状態で、コース選択手段８を１秒以上操作した場合には、点線で示す順序で選択する。例えば、図６（ａ）の「短粒米」「早炊き」のときにコース選択手段８を１秒以上操作した場合には、図６（ｄ）の「長粒米」「早炊き」となり、図６（ｄ）の「長粒米」「早炊き」のときにコース選択手段８を０．１秒以上、１秒未満の間操作すると、図６（ｅ）の「長粒米」「おかゆ」となり、コース選択手段８を１秒以上操作した場合には、図６（ａ）の「短粒米」「早炊き」となる。
【００４１】
このように本実施の形態では、米種とメニューの組み合わせた数の６種類より米種表示手段４およびメニュー表示手段５を構成する表示部の数が５種類と少なく、選択手段も一つのコース選択手段８で実現することができる。このため、限られた大きさの炊飯器の中で表示部や操作部を小さくすることなく、多数の組み合わせのメニューを選択することができる。また、コース選択手段８を第１の所定の時間（０．１秒）以上、第２の所定の時間（１秒）未満操作した場合には、メニューのみを変更し、米種を変更せず、第２の所定の時間以上操作した場合には、メニューでなく、米種のみを変更するようにしているため、メニューのみを変更する場合でも、米種のみを変更する場合でも、操作する回数を軽減し、容易に米種とメニューを選択することができる。
【００４２】
以上のように、本実施の形態においては、制御手段１１は、第１の所定時間以上、第２の所定時間未満の間コース選択手段８が操作された場合には、炊飯メニューのみを順に変更するようにしたので、使用者が意図せず米種を変更しないですむので、より確実に米種とメニューを選択することができる。
【００４３】
（実施の形態５）
図７は、本発明の実施の形態１における炊飯器の操作部および表示手段の正面図である。
【００４４】
図７に示すように、米種表示手段４は、米種を表示するもので、「短粒米」と「長粒米」を表示するようにし、コース選択手段８によって選択される米種に長粒米が含まれるようにしている。メニュー表示手段１３は、メニューを表示するもので、「標準」、「快速」、「超快速」および「おかゆ」を表示するようにしている。ここで、「超快速」は米種が「長粒米」のときのみ選択できるようにしている。他の構成は上記実施の形態１と同じであり、同一符号を付して説明を省略する。
【００４５】
上記構成において図８を参照しながら動作を説明する。図８は本実施の形態におけるコース選択手段８を操作するごとの表示手段３の状態をその他表示手段６を省略して示したものである。
【００４６】
まず、最初は、図８（ａ）に示すように、「短粒米」「快速」が選択されている状態とする。その後、コース選択手段８を操作するたびに、図８（ｂ）の「短粒米」「おかゆ」、図８（ｃ）の「長粒米」「標準」、図８（ｄ）の「長粒米」「快速」、図８（ｅ）の「長粒米」「超快速」、図８（ｆ）の「長粒米」「おかゆ」、図８（ｇ）の「短粒米」「標準」、図８（ａ）の「短粒米」「快速」の順に選択され、炊飯開始手段９を操作したときに表示されていた米種およびメニューに応じたシーケンスで炊飯を開始する。
【００４７】
このように本実施の形態では、米種とメニューの組み合わせた数の６種類より米種表示手段４およびメニュー表示手段５を構成する表示部の数が５種類と少なく、選択手段も一つのコース選択手段８で実現することができる。このため、限られた大きさの炊飯器の中で表示部や操作部を小さくすることなく、多数の組み合わせのメニューを選択することができる。また、本実施の形態では、米種が「短粒米」の場合には、「超快速」のメニューが選択されず、米種が「長粒米」の場合には、「超快速」のメニューが選択されるようになっており、米種に応じたメニューとすることができ、より米種に応じたメニューを提供することができる。
【００４８】
以上のように、本実施の形態においては、コース選択手段８によって選択される米種に長粒米が含まれるので、国内産、国外産を問わず特質の異なる米種に対してもそれに応じたメニューを容易に選択することができる。
【００４９】
また、コース選択手段８によって選択されるメニューは、選択された米種に応じて異なるものが含まれるので、米種に応じて調理時間に応じた異なる炊き方を容易に選択することができる。
【００５０】
なお、上記各実施の形態では、米種を「短粒米」「長粒米」の２種類、メニューを「標準」「早炊き」「おかゆ」の３種類、あるいは「標準」「快速」「超快速」「おかゆ」の４種類としたが、その内容および種類の数はこれに限定されるものではないのは明らかである。
【００５１】
また、メニューおよび米種をすべて文字で表記するようにしているが、数字やメニューの内容を示す絵や記号で示すようにしてもよいし、三角や矢印で炊飯器本体への印刷など他の表示手段で示されたものを指し示すようにしてもよいし、その内容を米種によって変えるようにしてもよいのは明らかである。
【産業上の利用可能性】
【００５２】
以上のように、本発明にかかる炊飯器は、より少ないコース選択手段および表示手段で複数の米種と米種に応じたメニューを容易に選択することができるので、米種に応じた炊飯メニューを選択可能な炊飯器として有用である。
【図面の簡単な説明】
【００５３】
【図１】本発明の実施の形態１における炊飯器の要部ブロック図
【図２】同炊飯器の操作部および表示手段の正面図
【図３】同炊飯器のコース選択手段操作時の表示手段の動作を示す説明図
【図４】本発明の実施の形態２における炊飯器のコース選択手段操作時の表示手段の動作を示す説明図
【図５】本発明の実施の形態３における炊飯器のコース選択手段操作時の表示手段の動作を示す説明図
【図６】本発明の実施の形態４における炊飯器のコース選択手段操作時の表示手段の動作を示す説明図
【図７】本発明の実施の形態３における炊飯器の操作部および表示手段の正面図
【図８】同炊飯器のコース選択手段操作時の表示手段の動作を示す説明図
【図９】従来の炊飯器の操作部および表示手段の正面図
【符号の説明】
【００５４】
１  鍋
２  加熱手段
４  米種表示手段
５  メニュー表示手段
８  コース選択手段
１１  制御手段
１２  シーケンス記憶手段
【図１】
2007054475.tif 000003
【図２】
2007054475.tif 000004
【図３】
2007054475.tif 000005
【図４】
2007054475.tif 000006
【図５】
2007054475.tif 000007
【図６】
2007054475.tif 000008
【図７】
2007054475.tif 000009
【図８】
2007054475.tif 000010
【図９】
2007054475.tif 000011